(57)【特許請求の範囲】
【請求項１】
印刷クライアント装置及び複数のプリンタ装置が接続されているプリントシステムにおいて、
前記印刷クライアント装置は、
印刷要求があったとき、印刷データを作成し、前記プリンタ装置に転送する前に、前記印刷クライアント装置上にグループ登録されているプリンタ装置の省電力状態を解除するコマンドを発信し、省電力状態を解除する省電力状態解除手段を有することを特徴とするプリントシステム。
【請求項２】
前記省電力状態解除手段は、
前記印刷要求があったとき、前記省電力状態解除手段により段階的に前記プリンタ装置の省電力状態を解除することを特徴とする請求項１記載のプリントシステム。
【請求項３】
前記省電力状態解除手段は、
前記印刷要求があったとき、前記グループ登録されているプリンタ装置の省電力状態を５０％解除し、
印刷を実行するプリンタ装置が選択されたとき、該プリンタ装置の省電力状態を１００％解除することを特徴とする請求項２記載のプリントシステム。
【請求項４】
前記印刷クライアント装置は、
前記印刷要求があったとき、使用頻度の高いプリンタ装置に対して前記省電力状態解除手段による該プリンタ装置の省電力状態の解除を行うことを特徴とする請求項１から３のいずれか１項に記載のプリントシステム。
【請求項５】
前記印刷クライアント装置は、
過去１回以上の前記グループ登録されているプリンタ装置の印刷履歴情報を蓄積管理する印刷履歴情報管理手段を有し、
該印刷履歴情報管理手段から使用頻度の１番高いプリンタ装置を抽出し、前記省電力状態解除手段により前記使用頻度の１番高いプリンタ装置の省電力状態を１００％解除することを特徴とする請求項４記載のプリントシステム。
【請求項６】
前記印刷クライアント装置は、
選択されたプリンタ装置が前記省電力状態解除手段による省電力状態の解除に時間がかかるとき、他のプリンタ装置に切り替える切り替え手段を有することを特徴とする請求項１から３のいずれか１項に記載のプリントシステム。
【請求項７】
前記印刷クライアント装置は、
前記選択されたプリンタ装置が省電力状態であるか否かを判断する判断手段と、
該判断手段による判断の結果、前記選択されたプリンタ装置が省電力状態であるとき、使用優先度が次に高いプリンタ装置の省電力状態の解除にかかる時間と前記選択されたプリンタ装置の省電力解除にかかる時間とを比較する比較手段とを有し、
該比較手段による比較の結果、前記使用優先度が次に高いプリンタ装置の方が解除にかかる時間が短いとき、前記切り替え手段による切り替えを行うことを特徴とする請求項６記載のプリントシステム。
【発明の詳細な説明】
【０００１】
【発明の属する技術分野】
本発明はプリンタ装置又は、デジタル複写機を複数ネットワークに接続し、これら機器に対する印刷を効率よく行うプリントシステムに関する。
【０００２】
【従来の技術】
近年、ネットワーク化が当然のごとく行われ、多数のプリンタ装置をネットワークに接続し、ネットワーク資源の一つとして共有利用することが多数行われている。これらのプリンタ装置の多くは、長時間待機時に、無駄な電力を消費しないように、定着ヒータなどの電力を低減させる機能を持っている。ネットワーク上のユーザが印刷を行おうとしたとき、プリンタ装置が省電力の状態になっていると、定着ヒータが完全に温まるまで印刷出力がされない。そのため、印刷の完了に時間がかかるという問題点があった。従来技術では、例えば特開平１０−２３５９７０号公報に開示されたものがある。
【０００３】
特開平１０−２３５９７０号公報においては、プリンタドライバを備えたホストコンピュータと、節電モードを備えたプリンタ装置とが接続されているプリントシステムにおいて、ホストコンピュータ上でプリンタドライバが起動されたとき、印刷に影響を与えない予め設定された印刷コードをプリンタ装置に送信し印刷指示と印刷データがプリンタ装置に送信されるとすぐに印刷することができるプリントシステムが開示されている。
【０００４】
【発明が解決しようとする課題】
しかしながら、特開平１０−２３５９７０号公報では、印刷を行ったプリンタ装置についてのみの対応であり、複数のプリンタが使用可能な環境下では効果が期待できない。また上述したように、省電力の状態になっているプリンタ装置に対して印刷を行うと、省電力が解除され、印刷可能になるまでに時間がかかる。そのため、印刷を行ったユーザは、画面上印刷が終わったように見えても、プリンタ装置の所へ行くと、まだ出力がされていないという問題点が有った。
【０００５】
本発明は上記の問題点に鑑みてなされたものであり、ネットワーク上の省電力状態で待機中のプリンタ装置を使用した場合に、印刷効率の良い環境を提供することを目的とする。
【０００６】
【課題を解決するための手段】
かかる目的を達成するために、請求項１記載の発明は、印刷クライアント装置及び複数のプリンタ装置が接続されているプリントシステムにおいて、印刷クライアント装置は、印刷要求があったとき、印刷データを作成し、プリンタ装置に転送する前に、印刷クライアント装置上にグループ登録されているプリンタ装置の省電力状態を解除するコマンドを発信し、省電力状態を解除する省電力状態解除手段を有することを特徴としている。
【０００７】
請求項２記載の発明は、請求項１記載の発明において、省電力状態解除手段は、印刷要求があったとき、省電力状態解除手段により段階的にプリンタ装置の省電力状態を解除することを特徴としている。
【０００８】
請求項３記載の発明は、請求項２記載の発明において、省電力状態解除手段は、印刷要求があったとき、グループ登録されているプリンタ装置の省電力状態を５０％解除し、印刷を実行するプリンタ装置が選択されたとき、該プリンタ装置の省電力状態を１００％解除することを特徴としている。
【０００９】
請求項４記載の発明は、請求項１から３のいずれか１項に記載の発明において、印刷クライアント装置は、印刷要求があったとき、使用頻度の高いプリンタ装置に対して省電力状態解除手段による該プリンタ装置の省電力状態の解除を行うことを特徴としている。
【００１０】
請求項５記載の発明は、請求項４記載の発明において、印刷クライアント装置は、過去１回以上のグループ登録されているプリンタ装置の印刷履歴情報を蓄積管理する印刷履歴情報管理手段を有し、該印刷履歴情報管理手段から使用頻度の１番高いプリンタ装置を抽出し、省電力状態解除手段により使用頻度の１番高いプリンタ装置の省電力状態を１００％解除することを特徴としている。
【００１１】
請求項６記載の発明は、請求項１から３のいずれか１項に記載の発明において、印刷クライアント装置は、選択されたプリンタ装置が省電力状態解除手段による省電力状態の解除に時間がかかるとき、他のプリンタ装置に切り替える切り替え手段を有することを特徴としている。
【００１２】
請求項７記載の発明は、請求項６記載の発明において、印刷クライアント装置は、選択されたプリンタ装置が省電力状態であるか否かを判断する判断手段と、該判断手段による判断の結果、選択されたプリンタ装置が省電力状態であるとき、使用優先度が次に高いプリンタ装置の省電力状態の解除にかかる時間と選択されたプリンタ装置の省電力解除にかかる時間とを比較する比較手段とを有し、該比較手段による比較の結果、使用優先度が次に高いプリンタ装置の方が解除にかかる時間が短いとき、切り替え手段による切り替えを行うことを特徴としている。
【００１３】
【発明の実施の形態】
以下、本発明の実施の形態を添付図面を参照しながら詳細に説明する。
【００１４】
システム全体構成は図１に示すように、ネットワークに接続された印刷クライアント装置１、プリンタ装置２Ａ、プリンタ装置２Ｂ、プリンタ装置２Ｃから構成される。各プリンタ装置２は、プリンタ３とフロントエンドＰＣ４とを有している。
【００１５】
図２は、印刷クライアント装置１の内部構成を示すブロック図である。対象プリンタ装置２のグループ管理機能は、グループ内の各プリンタ装置２のアドレスや使用優先順位等の情報を管理している機能である。プリンタ装置２の省電力状態照合機能は、プリンタ装置２の省電力状態に関する情報を当該プリンタ装置２から取得する機能である。プリンタ装置２の省電力状態設定機能は、省電力モードの解除を行うコマンドを送信する機能である。代替えプリンタ装置２への印刷振替機能は、印刷データを転送し、印刷を行うプリンタ装置２を振り替える機能である。プリンタ装置２の省電力サポートモード照会機能は、各プリンタ装置２のサポートモード（例５０％、１００％等）を問い合わせる機能である。印刷履歴蓄積機能は、グループ内の各プリンタ装置２の印刷履歴情報を管理している機能である。印刷データ作成機能は、印刷を行うプリンタ装置２へ転送する印刷データを作成する機能である。印刷データ転送機能は、作成した印刷データを印刷を行うプリンタ装置２へ転送する機能である。
【００１６】
図３は、プリンタ装置２の内部構成を示すブロック図である。省電力状態照会応答機能は、印刷クライアント装置１の有するプリンタ装置２の省電力状態照合機能に対応してプリンタ３の省電力状態に関する情報を印刷クライアント装置１に応答する機能である。省電力状態設定要求処理機能は、印刷クライアント装置１からの解除を求めるコマンドに対応してプリンタ３の省電力状態の解除を行う機能である。省電力サポートモード照会応答機能は、印刷クライアント装置１からの省電力サポートモード照会機能に対応してプリンタ３のサポートしている省電力状態を印刷クライアント装置１に応答する機能である。印刷データ受信機能は、印刷クライアント装置１から転送されてくる印刷データを受信する機能である。印刷データ蓄積機能は、受信した印刷データを蓄積する機能である。プリンタ省電力状態取得・設定機能は、プリンタ３から省電力状態に関する情報を取得し、省電力状態の設定をする機能である。
【００１７】
第１の実施の形態を図４、図８、図９、図１３を参照しながら説明する。印刷クライアント装置は図４のフローチャートに従い、プリンタ装置２は図８のフローチャートに従い処理を実行する。又、対象プリンタ装置２は対象プリンタ装置２のグループ管理機能により、図１３に示すようなフォーマットで管理されている。
【００１８】
図４によると、まず初めに、印刷の開始が指示されると（ステップＳ１００）、グループ管理されているプリンタ装置２Ａ、プリンタ装置２Ｂ、プリンタ装置２Ｃに対して、プリンタ装置２の省電力状態設定機能を使用して、省電力モードの解除を行うコマンドを送信する（ステップＳ１０１）。プリンタ装置２は、省電力状態設定要求処理機能により、これを受信しプリンタ３に対して省電力状態の解除を行う。次に、ユーザは印刷するプリンタ装置２としてプリンタ装置２Ｃを選択し、その印刷条件の設定を行い、印刷指示を行う（ステップＳ１０２）。印刷クライアント装置１上では印刷データを作成し（ステップＳ１０３）、そのデータを選択されたプリンタ装置２Ｃに対して転送し印刷を行う（ステップＳ１０４）。
【００１９】
図８によると、プリンタ装置２は、印刷クライアント装置１から省電力状態設定要求を受信すると（ステップＳ５３０）、プリンタ３の省電力状態の解除を行う（ステップＳ５３１）。プリンタ装置２は、印刷クライアント装置１からの印刷要求を受信すると（ステップＳ５１０）、印刷データを受信・蓄積し（ステップＳ５１１）、印刷を実行する（ステップＳ５１２）。
【００２０】
図９の動作シーケンス例によると、印刷クライアント装置１は、印刷の開始が指示されるとグループ登録されているプリンタ装置２に対して省電力状態を解除するコマンドを送信する。本動作シーケンス例においては、プリンタ装置２Ａ、プリンタ装置２Ｂ、プリンタ装置２Ｃにコマンドを送信する。ユーザがプリンタ装置２を選択し、印刷条件の設定を行い印刷を実行すると、印刷データが作成され、印刷データを選択したプリンタ装置２（本動作シーケンス例においては、プリンタ装置２Ｃ）に転送する。
【００２１】
第２の実施の形態を図５、図８、図１０、図１３を参照しながら説明する。印刷クライアント装置１は図５のフローチャートに従い、プリンタ装置２は図８のフローチャートに従い処理を実行する。又、対象プリンタ装置２は対象プリンタ装置２のグループ管理機能により、図１３に示すようなフォーマットで管理されている。
【００２２】
図５によると、まず初めに、印刷の開始が指示されると（ステップＳ２００）、グループ管理されているプリンタ装置２Ａ、プリンタ装置２Ｂ、プリンタ装置２Ｃに対して、プリンタ装置２の省電力サポートモード照会機能を使用して、各プリンタ装置２のサポートモードを問い合わせる。プリンタ装置２では省電力サポートモード照会応答機能を使用し、サポートしている省電力の状態をクライアント装置１へ返す（ステップＳ２０１）。ここでは、各プリンタ装置２が、５０％、１００％のモードをサポートしている。
【００２３】
次に、プリンタ装置２の省電力状態設定機能を使用して、省電力モードを５０％だけ解除するコマンドを送信する（ステップＳ２０２）。プリンタ装置２は、省電力状態設定要求処理機能により、これを受信し、プリンタ３に対して省電力状態を５０％だけ解除する。次に、ユーザは印刷するプリンタ３として、プリンタ装置２Ｃを選択し、その印刷条件の設定を行い、印刷の指示を行う（ステップＳ２０３）。ここで選択されたプリンタ装置２Ｃに対して、省電力状態を１００％解除するコマンドを送信してから（ステップＳ２０４）、印刷データを作成し（ステップＳ２０５）、そのデータを選択されたプリンタ装置２Ｃに対して転送し印刷を行う（ステップＳ２０６）。
【００２４】
図８によると、プリンタ装置２は、印刷クライアント装置１からの省電力サポートモード照会要求を受信すると（ステップＳ５２０）、プリンタ３からサポートしている状態を取得して、取得した情報を印刷クライアント装置１へ転送する（ステップＳ５２１）。プリンタ装置２は、印刷クライアント装置１から省電力状態設定要求を受信すると（ステップＳ５３０）、プリンタ３の省電力状態の解除を行う（ステップＳ５３１）。プリンタ装置２は、印刷クライアント装置１からの印刷要求を受信すると（ステップＳ５１０）、印刷データを受信・蓄積し（ステップＳ５１１）、印刷を実行する（ステップＳ５１２）。
【００２５】
図１０の動作シーケンス例によると、印刷クライアント装置１は、印刷の開始が指示されると、グループ登録されているプリンタ装置２に対して省電力サポートしている状態を問い合わせる。本動作シーケンス例においては、プリンタ装置２Ａ、プリンタ装置２Ｂ、プリンタ装置２Ｃともに５０％、１００％をサポートしている。印刷クライアント装置１は、グループ登録されているプリンタ装置２（本動作シーケンス例においては、プリンタ装置２Ａ、プリンタ装置２Ｂ、プリンタ装置２Ｃ）に対して省電力状態を５０％解除するコマンドを送信する。ユーザがプリンタ装置２を選択し（本動作シーケンス例においては、プリンタ装置２Ｃ）、印刷条件の設定を行い印刷を実行すると、省電力状態を１００％解除するコマンドをプリンタ装置２（本動作シーケンス例においては、プリンタ装置２Ｃ）に転送した後、印刷データの作成を行い、印刷データをプリンタ装置２（本動作シーケンス例においては、プリンタ装置２Ｃ）に転送する。
【００２６】
第３の実施の形態に図６、図８、図１１、図１４を参照しながら説明する。印刷クライアント装置１は図６のフローチャートに従い、プリンタ装置２は図８のフローチャートに従い処理を実行する。又、印刷履歴情報は図１４のようなフォーマットで管理されている。
【００２７】
図６によると、まず初めに、印刷の開始が指示されると（ステップＳ３００）、印刷履歴蓄積機能で管理される印刷履歴情報を取得する。過去１０回の印刷で使用されたプリンタ装置２を抽出する（ステップＳ３０１）。抽出した各プリンタ装置２の使用回数を算出する（ステップＳ３０２）。ここでは、プリンタ装置２Ａが１回、プリンタ装置２Ｂが３回、プリンタ装置２Ｃが６回使用されている。使用回数が一番多いプリンタ装置２Ｃに対しては、省電力状態を１００％解除するコマンドを送信し（ステップＳ３０３）、二番目に多いプリンタ装置２Ｂに対しては省電力状態を７０％解除するコマンドを送信し（ステップＳ３０４）、三番目に多いプリンタ装置２Ａに対しては省電力状態を４０％に解除するコマンドを送信し（ステップＳ３０５）、使用される可能性の高い順に省電力の解除を段階的に行っていく。
【００２８】
次に、ユーザは印刷するプリンタ装置２として、プリンタ装置２Ｃを選択し、その印刷条件の設定を行い、印刷の指示を行う（ステップＳ３０６）。ここで選択されたプリンタ装置２Ｃに対して、省電力状態を１００％解除するコマンドを送信してから（ステップＳ３０７）、印刷データを作成し（ステップＳ３０８）、そのデータを選択されたプリンタ装置２Ｃに対して転送し印刷を行う（ステップＳ３０９）。
【００２９】
図８によると、プリンタ装置２は、印刷クライアント装置１から省電力状態設定要求を受信すると（ステップＳ５３０）、プリンタ３の省電力状態の解除を行う（ステップＳ５３１）。プリンタ装置２は、印刷クライアント装置１からの印刷要求を受信すると（ステップＳ５１０）、印刷データを受信・蓄積し（ステップＳ５１１）、印刷を実行する（ステップＳ５１２）。
【００３０】
図１１の動作シーケンス例によると、印刷クライアント装置１は、印刷の開始が指示されると、印刷実行した履歴情報から過去Ｎ回（本動作シーケンス例においては、１０回）の印刷に使用したプリンタ装置２を抽出する。抽出したプリンタ装置２の各々の使用回数を算出する。使用頻度が３番目のプリンタ装置２（本動作シーケンス例においては、プリンタ装置２Ａ）に対して省電力状態を４０％解除するコマンドを送信する。使用頻度の２番目のプリンタ装置２（本動作シーケンス例においては、プリンタ装置２Ｂ）に対して省電力状態を７０％解除するコマンドを送信する。使用頻度が１番目のプリンタ装置２（本動作シーケンス例においては、プリンタ装置２Ｃ）に対して省電力状態を１００％解除するコマンドを送信する。ユーザがプリンタ装置２（本動作シーケンス例においては、プリンタ装置２Ｃ）を選択し、印刷条件の設定を行い印刷を実行すると、省電力状態を１００％解除するコマンドをプリンタ装置２（本動作シーケンス例においては、プリンタ装置２Ｃ）に転送した後、印刷データの作成を行い、印刷データをプリンタ装置２（本動作シーケンス例においては、プリンタ装置２Ｃ）に転送する。
【００３１】
第４の実施の形態を図７、図８、図１２を参照しながら説明する。印刷クライアント装置１は図７のフローチャートに従い、プリンタ装置２は図８のフローチャートに従い処理を実行する。
【００３２】
図７によると、まず初めに、印刷の開始が指示され（ステップＳ４００）、ユーザは印刷するプリンタ装置２として、プリンタ装置２Ａを選択し、その印刷条件の設定を行い、印刷の指示を行う（ステップＳ４０１）。次にプリンタ装置２Ａの省電力状態を、プリンタ装置２の省電力状態照会機能を使用して取得する（ステップＳ４０２）。取得したプリンタ装置２Ａの状態が省電力状態であるか否かを判断し（ステップＳ４０３）、プリンタ装置２Ａが省電力状態でなければ（ステップＳ４０３／ＮＯ）、続けて印刷データの作成を行い（ステップＳ４０７）、そのデータをプリンタ装置２Ａに対して転送し印刷を行う（ステップＳ４０８）。
【００３３】
プリンタ装置２Ａが省電力状態のときは（ステップＳ４０３／ＹＥＳ）、次に使用優先度の高いプリンタ装置２Ｂに対して省電力状態を問い合わしてプリンタ装置２Ｂの状態を取得する（ステップＳ４０４）。プリンタ装置２Ａと次候補のプリンタ装置２Ｂとの省電力状態解除の早さを比較し（ステップＳ４０５）、次候補のプリンタ装置２Ｂの方が早いときは（ステップＳ４０５／ＹＥＳ）、代替えプリンタ装置２への印刷振替え機能を使用して、対象プリンタ装置２を次候補のプリンタ装置２Ｂに切り替えてから（ステップＳ４０６）、印刷データの作成を行い（ステップＳ４０７）、そのデータをプリンタ装置２Ｂに対して転送し印刷を行う（ステップＳ４０８）。プリンタ装置２Ａの方が早いときは（ステップＳ４０５／ＮＯ）、印刷データの作成を行い（ステップＳ４０７）、そのデータをプリンタ装置２Ａに対して転送し印刷を行う（ステップＳ４０８）。
【００３４】
図８によると、プリンタ装置２は、印刷クライアント装置１からの省電力状態照会要求を受信すると（ステップＳ５００）、プリンタ３から当該プリンタ３の状態を取得し、取得した情報を印刷クライアント装置１に転送する（ステップＳ５０１）。プリンタ装置２は、印刷クライアント装置１からの印刷要求を受信すると（ステップＳ５１０）、印刷データを受信・蓄積し（ステップＳ５１１）、印刷を実行する（ステップＳ５１２）。
【００３５】
図１２の動作シーケンス例によると、印刷クライアント装置１は、印刷の開始が指示されると、ユーザがプリンタ装置２（本動作シーケンス例においては、プリンタ装置２Ａ）を選択し、印刷条件の設定を行い印刷を実行すると、印刷するプリンタ装置２（本動作シーケンス例においては、プリンタ装置２Ａ）の省電力状態を取得する。省電力状態でなければ、そのまま印刷データを作成し、対象プリンタ装置２（本動作シーケンス例においては、プリンタ装置２Ａ）に対して印刷データを転送する。省電力状態であれば、次候補のプリンタ装置２（本動作シーケンス例においては、プリンタ装置２Ｂ）から省電力状態を取得する。次候補のプリンタ装置２（本動作シーケンス例においては、プリンタ装置２Ｂ）の方が、印刷完了が早い場合、次候補のプリンタ装置２（本動作シーケンス例においては、プリンタ装置２Ｂ）に印刷データを転送する。
【００３６】
なお、本発明は図１で、プリンタ装置２としてフロントエンドＰＣとプリンタが記載されているが、プリンタ３内にフロントエンドＰＣ４の機能を持たせた、プリンタ単体の場合でもなんら問題はない。
【００３７】
【発明の効果】
以上の発明から明らかなように、請求項１の発明よれば、印刷データを作成する前に、予め省電力の状態を解除しておくことで、印刷データ作成にかかる時間及び印刷データ転送にかかる時間が短縮され、効率の良い印刷環境をユーザに提供することが可能となる。
【００３８】
請求項２及び請求項３記載の発明によれば、グループ登録されているプリンタ装置に対して、省電力モードを完全に解除するのではなく、段階的に解除させることで、解除させる必要のないプリンタ装置の電力浪費を低減させることが可能となる。
【００３９】
請求項４及び請求項５記載の発明によれば、印刷履歴情報から過去Ｎ回の印刷に使用したプリンタ装置を抽出し、それらを使用頻度の高いプリンタ装置から順に省電力モードの解除の割合をかえることで、解除させる必要のないプリンタ装置の電力浪費を低減することが可能なる。
【００４０】
請求項６及び請求項７記載の発明によれば、省電力解除にかかる時間が少ないプリンタ装置へ印刷を行うことで、効率の良い印刷環境をユーザに提供することが可能となる。
【図面の簡単な説明】
【図１】本発明の実施の形態を示すシステム構成図である。
【図２】本発明の実施の形態を示す印刷クライアント装置１の構成図である。
【図３】本発明の実施の形態を示すプリンタ装置２の構成図である。
【図４】第１の実施の形態を説明するためのフローチャートである。
【図５】第２の実施の形態を説明するためのフローチャートである。
【図６】第３の実施の形態を説明するためのフローチャートである。
【図７】第４の実施の形態を説明するためのフローチャートである。
【図８】プリンタ装置の動作を説明するためのフローチャートである。
【図９】第１の実施の形態を説明するための動作シーケンス図である。
【図１０】第２の実施の形態を説明するための動作シーケンス図である。
【図１１】第３の実施の形態を説明するための動作シーケンス図である。
【図１２】第４の実施の形態を説明するための動作シーケンス図である。
【図１３】グループ情報管理フォーマット例を示す図である。
【図１４】印刷履歴情報フォーマット例を示す図である。
【符号の説明】
１  印刷クライアント装置
２Ａ〜２Ｃ  プリンタ装置
３  プリンタ
４  フロントエンドＰＣ
【図１】
0004121000.tif 000002
【図２】
0004121000.tif 000003
【図３】
0004121000.tif 000004
【図４】
0004121000.tif 000005
【図５】
0004121000.tif 000006
【図６】
0004121000.tif 000007
【図７】
0004121000.tif 000008
【図８】
0004121000.tif 000009
【図９】
0004121000.tif 000010
【図１０】
0004121000.tif 000011
【図１１】
0004121000.tif 000012
【図１２】
0004121000.tif 000013
【図１３】
0004121000.tif 000014
【図１４】
0004121000.tif 000015